(57)【要約】【課題】箱状部内に浸入した水を箱状部の水抜き孔から排出する場合にドア取付板の電装部品が水で濡れることを防止する。【解決手段】前蓋の上方には箱状部が設けられている。この箱状部は開口部を有する箱状をなすものであり、箱状部の開口部は操作部で覆われている。この箱状部の左右方向の端部にはドア取付板に比べて後側に位置して水抜き孔が設けられている。このドア取付板は前側に位置してドアおよび電装部品が設けられたものであり、水抜き孔は箱状部内に浸入した水をドア取付板の後側に排出することでドア付板の電装部品が水で濡れることを防止する。【選択図】図５
2014064653.tif 000002
【特許請求の範囲】
【請求項１】
ドア取付板を有する筐体と、
前記筐体内に設けられ、水を受ける水受槽と、
前記水受槽内に設けられ、洗濯槽および脱水槽を兼ねるドラムと、
前記ドラムを駆動するドラムモータと、
前記ドア取付板に前記ドア取付板の前側に位置して設けられたドアと、
前記ドア取付板に前記ドア取付板の前側に位置して設けられた電装部品と、
前記ドア取付板を前方から覆う前蓋と、
前記前蓋の上方に設けられ、使用者が操作可能な電子部品を有する操作部と、
上に向けて開口する開口部を有する箱状をなすものであって、当該開口部が前記操作部で覆われた箱状部と、
前記箱状部に設けられ、前記箱状部内に水が浸入した場合に当該水を前記箱状部の内部から外部に落下させるための水抜き孔を備え、
前記水抜き孔は、前記箱状部の左右方向の端部に前記ドア取付板に比べて後側に位置して設けられていることを特徴とするドラム式洗濯機。
【請求項２】
前記箱状部は、前記水抜き孔とは反対側の端部から前記水抜き孔の側の端部に向けて下降する傾斜状の底面を有していることを特徴とする請求項１に記載のドラム式洗濯機。
【請求項３】
前記箱状部の左右方向の端部には、前記箱状部の底面の傾斜に沿って並ぶ複数の前記水抜き孔が設けられていることを特徴とする請求項２に記載のドラム式洗濯機。
【請求項４】
前記外箱内の底部に設けられた制御部と、
前記外箱内に設けられ、前記操作部を前記制御部に接続する配線を備え、
前記配線は、前記操作部から前記水抜き孔とは反対側の端部を通して前記制御部に接続されていることを特徴とする請求項１ないし３のいずれかに記載のドラム式洗濯機。
【発明の詳細な説明】
【技術分野】
【０００１】
実施例はドラム式洗濯機に関する。
【背景技術】
【０００２】
ドラム式洗濯機にはドア取付板の前方に前蓋を設けたものがある。このドア取付板は外箱の一部であり、ドア取付板にはドアおよび電装部品が装着されている。前蓋はドア取付板を前方から覆い隠すものであり、前蓋の上方には操作部が設けられている。この操作部はスイッチ等の電子部品を有するものであり、操作部の電子部品は使用者が操作することが可能にされている。
【先行技術文献】
【特許文献】
【０００３】
【特許文献１】特開２００８−６０４８号公報
【特許文献２】特開２００７−５４２２８号公報
【発明の概要】
【発明が解決しようとする課題】
【０００４】
従来のドラム式洗濯機の場合には水が操作部の各所から浸入した場合に当該水がドア取付板の電装部品に触れないようにドア取付板の電装部品に対して多方向から防水をする必要があった。
【課題を解決するための手段】
【０００５】
実施例のドラム式洗濯機は、ドア取付板を有する筐体と、前記筐体内に設けられ水を受ける水受槽と、前記水受槽内に設けられ洗濯槽および脱水槽を兼ねるドラムと、前記ドラムを駆動するドラムモータと、前記ドア取付板に前記ドア取付板の前側に位置して設けられたドアと、前記ドア取付板に前記ドア取付板の前側に位置して設けられた電装部品と、前記ドア取付板を前方から覆う前蓋と、前記前蓋の上方に設けられ使用者が操作可能な電子部品を有する操作部と、上に向けて開口する開口部を有する箱状をなすものであって当該開口部が前記操作部で覆われた箱状部と、前記箱状部に設けられ前記箱状部内に水が浸入した場合に当該水を前記箱状部の内部から外部に落下させるための水抜き孔を備え、前記水抜き孔は前記箱状部の左右方向の端部に前記ドア取付板に比べて後側に位置して設けられているところに特徴を有する。
【図面の簡単な説明】
【０００６】
【図１】実施例１を示す図（ドラム式洗濯機の外観を示す図）
【図２】外箱の内部構成を右側板と左側板と前蓋の除去状態で示す図
【図３】外箱の内部構成を右側板の除去状態で示す図
【図４】制御部ボックスの外観を示す図
【図５】箱状部の外観を操作パネルの除去状態で示す図
【発明を実施するための形態】
【実施例１】
【０００７】
図１の外箱１は底板２と右側板３と左側板４と天板５と後板６とドア取付板７（図２参照）を相互に接合することから構成されたものであり、筐体に相当する。底板２は上面が開口する皿状をなすものであり、上下方向から見た場合に四角形状をなしている。右側板３および左側板４のそれぞれは左右方向から見た場合に台形状をなすものであり、左右方向に相互に対向配置されている。天板５は右側板３および左側板４のそれぞれの上方に配置された水平なものであり、底板２に上方から対向配置されている。後板６は右側板３および左側板４のそれぞれの後方に配置されたものであり、図２に示すように、上板８と下板９と蓋板１０に分割されている。これら上板８および下板９は、図３に示すように、上下方向に隙間を介して相互に対向するものであり、蓋板１０は上板８および下板９相互間の隙間である点検口を開閉可能に覆うものである。
【０００８】
外箱１のドア取付板７は、図２に示すように、後板６の蓋板１０に前方から対向するものであり、上から下に向けて前へ指向する傾斜状態に配置されている。このドア取付板７は円形状の貫通孔からなる出入口を有するものであり、ドア取付板７には円形状のドア１１が装着されている。このドア１１は左端部の軸１２を中心に閉鎖状態および開放状態相互間で回動可能にされたものであり、ドア取付板７の出入口はドア１１の閉鎖状態で閉鎖されると共にドア１１の開放状態で開放される。
【０００９】
外箱１には、図３に示すように、ドア取付板７の前方に位置して前蓋１３が固定されている。この前蓋１３はドア取付板７を前方から覆い隠すものであり、前蓋１３には円形状の貫通孔１４が形成されている。この貫通孔１４はドア取付板７のドア１１が挿入されたものであり、ドア１１は前蓋１３の貫通孔１４を通して閉鎖状態および開放状態相互間で操作可能にされている。
【００１０】
外箱１のドア取付板７には、図２に示すように、ドア取付板７の前側に位置してドアロック装置１５が固定されている。このドアロック装置１５は前方から前蓋１３で覆い隠されたものであり、ドア１１に対して右側に配置されている。このドアロック装置１５はドアロックソレノイドのプランジャにロック部材を連結してなるものであり、電装部品に相当する。このドアロック装置１５はドアロックソレノイドが電気的に操作されることに応じてロック状態およびアンロック状態相互間で機械的な状態が切換えられるものであり、ドアロック装置１５がドア１１の閉鎖状態でロック状態とされている場合にはドアロック装置１５のロック部材がドア１１に係合することでドア１１が閉鎖状態にロックされ、ドアロック装置１５がドア１１の閉鎖状態でアンロック状態とされている場合にはドアロック装置１５のロック部材がドア１１から外れることでドア１１がロック解除される。
【００１１】
外箱１のドア取付板７には、図２に示すように、ドアロック装置１５の上方に位置してドアオープンボタン１６が固定されている。このドアオープンボタン１６はドア取付板７の前側に配置されたものであり、ドア１１に対して右側に配置されている。このドアオープンボタン１６は、図１に示すように、貫通孔１７を通して前蓋１３の前方に操作可能に突出するものである。この貫通孔１７は前蓋１３に形成されたものであり、ドア１１の閉鎖状態およびドアロック装置１５のアンロック状態でドアオープンボタン１６が操作された場合にはドア１１が閉鎖状態から開放状態に回動操作される。
【００１２】
外箱１内には、図２および図３に示すように、２つのサスペンション１８が収納されている。これら２つのサスペンション１８のそれぞれは外箱１の底板２に固定されたものであり、一方のサスペンション１８は電気的なエネルギーが与えられることに応じて減衰特性が変化するアクティブサスペンションから構成されている。
【００１３】
外箱１内には、図２に示すように、２つのサスペンション１８の上方に位置して水受槽１９が収納されており、水受槽１９は２つのサスペンション１８で弾性的に支持されている。この水受槽１９は前面が開口する円筒状をなすものであり、円形状の後板および後板を取り囲む円筒状の周板を有している。この水受槽１９は衣類を洗濯するための水を受けるものであり、軸心線が前から後に向けて下降する傾斜状態に配置されている。この水受槽１９の後板にはドラムモータが固定されている。このドラムモータは外箱１内に水受槽１９の外部に位置して収納されたものであり、水受槽１９内に突出する回転軸を有している。
【００１４】
ドラムモータの回転軸には、図３に示すように、水受槽１９内に位置してドラム２０が固定されている。このドラム２０は前面が開口する円筒状をなすものであり、円形状の後板および後板を取り囲む円筒状の周板を有している。このドラム２０は衣類が投入されるものであり、ドラム２０の軸心線が水受槽１９の軸心線に重なるように前から後に向けて下降する傾斜状態に配置されている。このドラム２０は洗濯槽および脱水槽を兼用するものであり、ドラム２０内の衣類はドラム２０がドラムモータで回転操作されることに応じて洗濯および脱水される。
【００１５】
外箱１には、図１に示すように、左上部に位置して洗剤ケース２１が装着されている。この洗剤ケース２１は上面が開口するものであり、収納状態および引出状態相互間で前後方向へ移動可能にされている。この洗剤ケース２１は収納状態で外箱１内に収納されるものであり、洗剤ケース２１の収納状態では洗剤ケース２１内に洗剤を投入することが不能となる。この洗剤ケース２１は引出状態で外箱１内から前方へ突出するものであり、洗剤ケース２１の引出状態では洗剤ケース２１内に洗剤を投入することが可能となる。
【００１６】
外箱１内には給水弁が収納されている。この給水弁は入口および出口を有するものであり、給水弁の入口は水道の蛇口に接続されている。この給水弁は電気的に操作されることに応じて閉鎖状態および開放状態相互間で切換えられるものであり、給水弁の出口にはホースを介して洗剤ケース２１が接続されている。この洗剤ケース２１は水受槽１９にホースを介して接続されたものであり、給水弁の開放状態では水道の蛇口から洗剤ケース２１内を通して水受槽１９内に水道水が注入される。
【００１７】
外箱１内には排水管が収納されている。この排水管は上端部が水受槽１９内に接続されたものであり、排水管には排水弁が介在されている。この排水弁は電気的に操作されることに応じて閉鎖状態および開放状態相互間で切換えられるものであり、排水弁の閉鎖状態では給水弁の出口から洗剤ケース２１を通して水受槽１９内に注入された水道水が水受槽１９内に貯留され、排水弁の開放状態では水受槽１９内の水道水が排水管を通して水受槽１９外に排出される。
【００１８】
外箱１内には、図３に示すように、後端部に位置してダクト２２が固定されている。このダクト２２は水受槽１９の下方に配置されたものであり、ダクト２２の入口および出口のそれぞれは水受槽１９内に接続されている。このダクト２２内にはヒートポンプのコンデンサおよびエバポレータが収納されている。これらコンデンサおよびエバポレータのそれぞれはコンプレッサの吐出口および吸込口相互間に接続されたものであり、コンプレッサの運転状態ではコンプレッサの吐出口から吐出された冷媒がコンデンサおよびエバポレータのそれぞれを通ってコンプレッサの吸込口に吸込まれる。このコンプレッサは外箱１の底板２に固定されたものであり、外箱１内に水受槽１９の下方に位置して収納されている。
【００１９】
外箱１内にはファンケーシングが収納されている。このファンケーシングはファンが収納されたものであり、ファンはファンモータの回転軸に連結されている。このファンモータはファンケーシングに固定されたものであり、ファンモータの運転状態ではファンが回転することに応じて水受槽１９内の空気がダクト２２の入口からダクト２２内に進入する。このダクト２２内に進入した空気はエバポレータおよびコンデンサのそれぞれに順に接触することで低湿度な温風となる。この低湿度な温風はダクト２２の出口から排出され、ダクト２２の出口から排出された温風はドラム２０内の衣類を乾かすための乾燥風として水受槽１９内に戻される。
【００２０】
外箱１内には、図４に示すように、底部に位置して制御部ボックス２４が固定されている。この制御部ボックス２４は上面が開口するケース２５およびケース２５の上面を閉鎖するカバー２６を相互に接合することから構成された中空な箱状をなすものであり、水受槽１９の下方に配置されている。この制御部ボックス２４は前端部がドア取付板７の下方を通してドア取付板７の前方へ突出するものであり、上面が前から後に向けて下降する傾斜状態に配置されている。この制御部ボックス２４の上面は水が滴下した場合に水を前から後へ流すものであり、水は制御部ボックス２４の上面に沿って前から後へ流れた後に制御部ボックス２４の後端に到達することで制御部ボックス２４の上面から落下する（矢印参照）。
【００２１】
外箱１の底板２には水抜き孔が形成されている。この水抜き孔は制御部ボックス２４の上面から落下した水が進入するものであり、制御部ボックス２４の下方に配置されている。この水抜き孔は外箱１の底板２を貫通する貫通孔からなるものであり、制御部ボックス２４の上面から落下した水は底板２の水抜き孔を通して外箱１の外部に排出される。この制御部ボックス２４内には制御部基板が収納されており、制御部基板には制御回路が搭載されている。この制御回路はドアロックソレノイドとアクティブサスペンションとドラムモータと給水弁と排水弁とコンプレッサとファンモータのそれぞれに電源を印加する駆動回路部および駆動回路部を電気的に制御することでドアロックソレノイド〜ファンモータのそれぞれを駆動制御する制御回路部を有するものであり、制御部に相当する。
【００２２】
図２の符号２７は制御回路をドアロック装置１５のドアロックソレノイドに電気的に接続する配線であり、配線２７は制御回路からドア取付板７の前方でドア１１の右側へ回された後に下から上へ真直ぐに延びてドアロックソレノイドに接続されている。図２の符号２８は制御回路をアクティブサスペンションとドラムモータと給水弁と排水弁とコンプレッサとファンモータのそれぞれに電気的に接続する配線であり、配線２８は制御回路から水受槽１９の下方を通してアクティブサスペンション〜ファンモータのそれぞれに接続されている。
【００２３】
外箱１には、図３に示すように、下部カバー２９が固定されている。この下部カバー２９は前蓋１３の下方に配置されたものであり、制御部ボックス２４を前方から覆い隠している。この下部カバー２９にはフィルタ扉３０が装着されている。このフィルタ扉３０は閉鎖状態および開放状態相互間で操作可能にされたものであり、フィルタ扉３０の開放状態では糸屑フィルタ３１（図２参照）が操作可能に露出する。この糸屑フィルタ３１はドラム２０内の衣類から脱落した糸屑を捕捉するものであり、水受槽１９内に接続されている。この糸屑フィルタ３１は外箱１内に収納されたものであり、フィルタ扉３０の閉鎖状態で操作不能に覆われる。
【００２４】
外箱１には、図５に示すように、箱状部３２が前蓋１３に一体成形により固定されている。この箱状部３２は天板５および前蓋１３相互間に介在されたものであり、洗剤ケース２１に対して右側に配置され、前蓋１３に対して上側に一体配置されている。この箱状部３２は斜め上に向けて開口する開口部を有する箱状をなすものであり、天板側側壁３３と前蓋側側壁３４と底壁３５を有している。天板側側壁３３は天板５に接合されたものであり、前蓋側側壁３４は前蓋１３に一体成形により接合されたものである。底壁３５は天板側側壁３３および前蓋側側壁３４相互間を一体成形にて連結するものであり、外箱１の正面から見て左から右に向けて下降する傾斜状をなしている。この底壁３５の上面は箱状部の底面に相当する。
【００２５】
箱状部３２には、図１に示すように、操作パネル３６が固定されており、箱状部３２の開口部は操作パネル３６で覆われている。この操作パネル３６は複数のスイッチおよびロータリーエンコーダが固定されたものであり、複数のスイッチおよびロータリーエンコーダのそれぞれは操作パネル３６の下面に固定される形態で箱状部３２内に収納されている。この操作パネル３６にはダイアル３７および複数のキー３８が装着されている。ダイアル３７は操作パネル３６の表側に回動操作可能に配置されたものであり、箱状部３２内のロータリーエンコーダはダイアル３７を介して操作される。複数のキー３８のそれぞれは操作パネル３６の表側に押圧操作可能に配置されたものであり、箱状部３２内の複数のスイッチのそれぞれはキー３８を介して操作される。これらロータリーエンコーダおよび複数のスイッチのそれぞれは電子部品に相当し、操作パネル３６は操作部に相当する。
【００２６】
操作パネル３６のロータリーエンコーダおよび複数のスイッチのそれぞれは制御部ボックス２４内の制御回路に電気的に接続されている。この制御回路はロータリーエンコーダおよび複数のスイッチのそれぞれの電気的な状態を検出するものであり、ロータリーエンコーダおよび複数のスイッチのそれぞれの電気的な状態の検出結果に応じて運転コースを設定すると共に運転コースの設定結果を開始する。
【００２７】
図２の符号３９は操作パネル３６のロータリーエンコーダおよび複数のスイッチのそれぞれを制御部ボックス２４内の制御回路に電気的に接続する配線であり、配線３９は箱状部３２内から水受槽１９の上方を通して外箱１内の左側部で水受槽１９の後方に引出されている。この配線３９は水受槽１９の後方で上板８と蓋板１０と下板９のそれぞれの前方を上から下へ真直ぐに通ることで水受槽１９の下方に引出され、水受槽１９の下方を後から前へ略真直ぐに通ることで水受槽１９の前方に引出され、水受槽１９の前方を左から右へ通して制御回路に接続されている。
【００２８】
箱状部３２の天板側側壁３３には、図５に示すように、複数の水抜き孔４０が形成されている。これら複数の水抜き孔４０のそれぞれは上下方向へ指向する細長な長方形状をなすものであり、左右方向に等ピッチで配列されている。これら複数の水抜き孔４０は箱状部３２内の最低部である天板側側壁３３の右端部に底壁３５の傾斜方向に沿って並ぶものであり、箱状部３２の内周面および操作パネル３６の外周面相互間から箱状部３２内に水が浸入した場合には水が箱状部３２の底壁３５の傾斜に沿って左から右へ流れることで水抜き孔４０内に浸入する。これら複数の水抜き孔４０のそれぞれは天井側側壁３３を貫通する貫通孔からなるものであり、水が水抜き孔４０内に浸入した場合には水抜き孔４０を通して落下することで箱状部３２の内部から外部へ排出される（矢印参照）。
【００２９】
複数の水抜き孔４０のそれぞれは、図５に示すように、ドア取付板７の後面に対して後側で且つ水受槽１９の上側に配置されたものであり、複数の水抜き孔４０のそれぞれから落下した水はドア取付板７に滴下することなく水受槽１９の表面１９ａに滴下する。この水受槽１９の表面１９ａに滴下した水は水受槽１９の表面１９ａに沿って上から下へ流れることで水受槽１９の表面１９ａから落下する。この水受槽１９の下方には制御部ボックス２４が配置されており、水受槽１９の表面１９ａから落下した水は制御部ボックス２４の上面に滴下する。この制御部ボックス２４の上面に滴下した水は制御部ボックス２４の上面に沿って前から後へ流れた後に制御部ボックス２４の上面から落下し、外箱１の底板２の水抜き孔を通して外箱１の外部に排出される。
【００３０】
上記実施例１によれば次の効果を奏する。
箱状部３２の右端部にドア取付板７に比べて後側に位置して水抜き孔４０を設けたので、箱状部３２内に水が浸入した場合に水が水抜き孔４０からドア取付板７の後側で水受槽１９の表面１９ａに滴下した後に水受槽１９の表面１９ａを伝って制御部ボックス２４の上面から外箱１の外部に排出される。従って、ドア取付板７の右端部のドアロック装置１５および配線２７等の電装部品が水で濡れることがなくなるので、ドアロック装置１５および配線２７等の電装部品の防水が不要もしくは簡単な構成で済む。
【００３１】
箱状部３２の底壁３５を水抜き孔４０とは反対側の左端部から水抜き孔４０の側の右端部に向けて下降する傾斜状に設定した。このため、箱状部３２内に水が浸入した場合に水が底壁３５の傾斜に沿って流れることで水抜き孔４０内に浸入するようになるので、箱状部３２内に水が残ることが防止される。しかも、水抜き孔４０を箱状部３２内の最低部に配置したので、この点からも箱状部３２内に水が残ることが防止される。
【００３２】
箱状部３２の右端部に底壁３５の傾斜に沿って複数の水抜き孔４０を設けた。このため、１つの水抜き孔４０が詰まった場合に当該水抜き孔４０の右隣の水抜き孔４０から水が排出されるので、１つの水抜き孔４０が詰まることで水の排出性能が大きく低下することがなくなる。配線３９を操作パネル３６から水抜き孔４０とは反対側の左端部を通して制御部ボックス２４内の制御回路に接続した。このため、配線３９が水抜き孔４０から落下した水で濡れることがなくなるので、配線３９の防水も不要もしくは簡単な構成で済む。
【００３３】
上記実施例１においては、箱状部３２の左端部に複数の水抜き孔４０を設けても良い。この場合には箱状部３２の底面を右から左に向けて下降傾斜させることで水を複数の水抜き孔４０へ案内することが好ましい。
【００３４】
上記実施例１においては、箱状部３２の左端部に複数の水抜き孔４０を設け、外箱１内の底部に左端部に位置して制御部ボックス２４を収納しても良い。この場合には配線３９を操作パネル３６から水抜き孔４０とは反対側の右端部を通して制御部ボックス２４内の制御回路に接続することが好ましい。
【００３５】
上記実施例１においては、ドア１１をドア１１に対して右側の軸を中心に回動可能としても良い。この場合にはドア１１に対して左側にドアロック装置１５およびドアオープンボタン１６を配置することが好ましい。
【００３６】
本発明のいくつかの実施例を説明したが、これらの実施例は例として提示したものであり、発明の範囲を限定することは意図していない。これら新規な実施例はその他の様々な例で実施されることが可能であり、発明の要旨を逸脱しない範囲内で種々の省略、置換、変更を行うことができる。これら実施例やその変更は発明の範囲や要旨に含まれると共に特許請求の範囲に記載された発明とその均等の範囲に含まれる。
【符号の説明】
【００３７】
１は外箱（筐体）、７はドア取付板、１１はドア、１３は前蓋、１５はドアロック装置（電装部品）、１９は水受槽、２０はドラム、３２は箱状部、３６は操作パネル（操作部）、３９は配線、４０は水抜き孔である。
【図１】
2014064653.tif 000003
【図２】
2014064653.tif 000004
【図３】
2014064653.tif 000005
【図４】
2014064653.tif 000006
【図５】
2014064653.tif 000007